(57)【特許請求の範囲】
【請求項１】
ロアハウジング（１）と、該ロアハウジング（１）に被着されるアッパハウジング（４）とで形成される可動マグネット収納空間（３）内に、可動マグネット（２）を回転可能に軸支せしめ、さらに上記可動マグネット（２）に固定される指針軸（５）を、上記アッパハウジング（４）に設けられている軸貫通孔（８）より支出させ、さらに上記可動マグネット収納空間（３）の壁面と可動マグネット（２）周面とで形成される隙間内にシリコンオイルを注入し、該シリコンオイルがマグネット収納空間の最下位置で滞留される交差コイル式計器において、
上記アッパハウジング（４）の内面（１５）かつ上記軸貫通孔（８）を中心とする該貫通孔と離れた位置の円周に沿って、上記可動マグネット（２）に接触することのない高さ（ｈ）の環状堰堤（１４）を一乃至複数条設けたことを特徴とする交差コイル式計器。
【発明の詳細な説明】
【０００１】
【発明の属する技術分野】
本発明は、多層のコイルを交差巻回するハウジングの内部に、可動マグネットを内装する交差コイル式計器に係り、特に上記可動マグネット収納空間の内周面と、可動マグネットとの間に生じる間隙に注入せしめているシリコンオイルの漏出を阻止する構造を付加した交差コイル式計器に関するものである。
【０００２】
【従来の技術】
図５及び図６は、従来の交差コイル式計器を示すものであって、１は計器のロアハウジングであり、このロアハウジングの中央部には、可動マグネット２を収納するための可動マグネット収納凹部３が形成されている。４は、ロアハウジング１上に被着されて、上記の可動マグネット収納凹部３の上側開口部を閉塞するアッパハウジングである。上記マグネット収納凹部３内に収納される可動マグネット２の軸心には、指針軸５が圧入されている。
【０００３】
そこで上記各部材を用いて交差コイル式計器を組立てるには、先ずロアハウジング１の可動マグネット収納凹部３内に、後述する作用をなすシリコンオイル６を所定量注入した後に、該マグネット収納凹部３内に、指針軸５を取付けてなる可動マグネット２を嵌入し、その指針軸５の一端をロアハウジング１の軸穴７内に挿入支持させた後、アッパハウジング４に設けられている軸貫通孔８に指針軸５を貫通させながらアッパハウジング４をロアハウジング１上に被着する。
【０００４】
かくして、可動マグネット２を回転自在に軸支するロアハウジング１及びアッパハウジング４の外側に不図示の交差コイルを巻回して、交差コイル式計器のムーブメント９を構成する。なお１０は、金属製のムーブメントケース、１１はプリント基板１２に設けられている接続端子１３と接続され、かつ交差コイルの線材（図示せず）を接続している端子を示す。
【０００５】
【発明が解決しようとする課題】
以上のようにして構成されている交差コイル式計器ムーブメント９におけるロアハウジング１及びアッパハウジング４の内部周面と、可動マグネット２の外周面とで形成される間隙内には、指針の針振れ、及び指針の応答性を制御するためのシリコンオイル６を注入しているが、このシリコンオイル６は、特にその粘性が低いために、該ムーブメント９が、例えば車両（オートバイ）等の振動の激しい車体に設備使用されるとき、その振動を受けて可動マグネット２及び指針軸５が軸方向に加振し、これが原因で一対のハウジング内部と、可動マグネット２との間でポンプ作用が生じ、その一対のハウジングの内に充填されているシリコンオイル６が、指針軸５と、アッパハウジング４の軸貫通孔８とで生じる隙間からオイル漏れを生じることにより、針振れ、応答性の制御不良が発生するという不具合があった。
【０００６】
本発明は、上記不具合を解消するためになされたもので、ロアハウジング及びアッパハウジングの内部に充填されているシリコンオイルが、可動マグネット及び指針軸等によるポンプ作用を受けても、該シリコンオイルが軸孔８から漏出することがない構造とする交差コイル式計器の提供を目的とするものである。
【０００７】
【課題を解決するための手段】
上記目的を達成するために本発明では、ロアハウジングと、該ロアハウジングに被着されるアッパハウジングとで形成される可動マグネット収納空間内に、可動マグネットを回転可能に軸支せしめ、さらに上記可動マグネットに固定される指針軸を、上記アッパハウジングに設けられている軸貫通孔より支出させ、さらに上記可動マグネット収納空間の壁面と可動マグネット周面とで形成される隙間内にシリコンオイルを注入し、該シリコンオイルがマグネット収納空間の最下位置で滞留される交差コイル式計器において、上記アッパハウジングの内面かつ上記軸貫通孔を中心とする該貫通孔と離れた位置の円周に沿って、上記可動マグネットに接触することのない高さ（ｈ）の環状堰堤を一乃至複数条設けた交差コイル式計器であることを特徴としている。
【０００８】
【発明の実施の形態】
以下に本発明を図１乃至図４に示す実施形態に基いて詳細に説明するが、本発明ではアッパハウジングの構成に特徴を有し、その他の構成については、従来例と変りないので、同一構造部分については従来例と同一符号を用いて、その同一構造の説明を省略する。
【０００９】
つまり本実施形態では、可動マグネット収納空間３を形成するロアハウジング１とアッパハウジング４におけるアッパハウジング４の内側面において、軸貫通孔８を中心とする円周に沿って、２条の環状堰堤１４Ａ，１４Ｂを同心的に設けていることに特徴を有している。
【００１０】
この実施形態における環状堰堤１４Ａ，１４Ｂについて具体的に述べると、これらの環状堰堤１４Ａ，１４Ｂは、図３の拡大図で示すように、アッパハウジング４の内面１５で突設形成されているものであって、この環状堰堤１４Ａ，１４Ｂの高さ（ｈ）は、上記アッパハウジング４の内面１５と可動マグネット２の平面１６との間隙（Ｈ）の約１／２に設定している即ちこの実施形態では、間隙（Ｈ）が１．１ｍｍであるとき、環状堰堤１４Ａ，１４Ｂの高さ（ｈ）を０．５ｍｍに設定した。
【００１１】
この環状堰堤１４Ａ，１４Ｂの高さ（ｈ）を決めるに当っては、可動マグネット２が、その軸方向へ揺動することを考慮して、該可動マグネット２がその揺動時に環状堰堤方向へ接近しても該可動マグネット２の平面１６と、環状堰堤１４Ａ，１４Ｂの突設面１７とが接触することがない位置で、しかもその高さ（ｈ）が可及的大きくなるように設定している。
【００１２】
また環状堰堤１４Ａ，１４Ｂの断面形状は方形となして、その突設面１７と可動マグネット２の平面１６とが平行となるように形成している。またこの実施形態にあっては、環状堰堤を同心的に２条設けているが、その環状堰堤は、１条以上であれば、本発明の目的を達成することが可能である。
【００１３】
次にその交差コイル式計器の作用について述べる。通常、オートバイ等の車両に設備される交差コイル式計器の取付け姿勢は、図３で示されるように、可動マグネットの指針軸５が傾斜するように、傾め上向きに設備される。従ってロアハウジング１とアッパハウジング４とで形成される可動マグネット収納空間３内に注入されているシリコンオイル６は、図３で示すように、交差コイル式計器が傾斜した状態で、可動マグネット収納空間の最下位置（最下部位、以下同じ）で滞留維持される。
【００１４】
このような状態で、この交差コイル式計器に、その軸方向の振動（揺動）が作用して可動マグネット２が軸方向へ振動すると、従来例で述べたように、可動マグネット収納空間３内でポンプ作用が働き、シリコンオイル６の一部が図３で示すように指針軸５方向へ押し上げられる。
【００１５】
ところが、上記環状堰堤１４Ａ，１４Ｂが存在しているために、指針軸方向へ押し上げられたシリコンオイル６は、先ず最初にその環状堰堤１４Ａの突設面１７と、可動マグネットの平面１６との間の狭い間隙における毛細管作用により図４で示すように、環状堰堤１４Ａの突設面１７に沿って周方向に案内される。このために、シリコンオイルが環状堰堤１４Ａを直接に乗り越えて指針軸５方向へ流動されることがなく、この堰止め作用によりシリコンオイルが軸貫通孔８方向へ押し流されることが有効に回避できる。
【００１６】
そして仮にその環状堰堤１４Ａを通過したシリコンオイルが生じたとしても、次の環状堰堤１４Ｂによる上記同様の毛細管作用によりシリコンオイルの堰止め作用が働き、この二重の堰止め作用により、シリコンオイル６がハウジングの外部へ漏出されることは皆無となる。又、交差コイル計器が作動し、可動マグネットが回動し、シリコンオイルも一緒につれ上げられ、該場所で一定指示した場合においても、シリコンオイルは、堰堤の周方向に沿って下方に戻されることにより、シリコンオイル漏れが生じることはない。
【００１７】
以上は、上記交差コイル式計器を設備する、例えばオートバイ等が運転走行されるときの振動により、上記交差コイル式計器の内部でポンプ作用が働き、これによるシリコンオイルの漏出を未然に防止する説明であるが、そのオートバイ等が運転されていないときは、上記交差コイル式計器にポンプ作用が生じることはなく、環状堰堤１４Ａ又は１４Ｂ位置まで押し上げられたシリコンオイル６はその自重により次第に降下し、可動マグネット収納空間３の最下位置へ戻されるので、オイル漏れを生じることはない。また各環状堰堤の突設面１７をアッパハウジング内面１５と平行なる突設面１７に形成していることで、より一層効果的な毛細管現象を生じせしめることができる。
【００１８】
【発明の効果】
以上のように本発明によれば、可動マグネット収納空間内に注入したシリコンオイルのオイル漏れを、上記可動マグネット収納空間を形成する壁面に形成した堰堤により有効に阻止することができるという作用効果が得られる。
【図面の簡単な説明】
【図１】本発明よりなる交差コイル式計器ムーブメントの内部構造を示した断面図。
【図２】本発明よりなる交差コイル式計器ムーブメントの平面図。
【図３】本発明よりなる交差コイル式計器ムーブメントの要部拡大断面図。
【図４】本発明よりなる交差コイル式計器ムーブメントの作用を説明する要部拡大説明図。
【図５】従来の交差コイル式計器ムーブメントの平面図。
【図６】従来の交差コイル式計器ムーブメントの断面図。
【符号の説明】
１…ロアハウジング
２…可動マグネット
３…可動マグネット収納空間
４…アッパハウジング
５…指針軸
６…シリコンオイル
７…軸穴
８…軸貫通孔
９…ムーブメント
１０…ムーブメントケース
１１…端子
１２…プリント基板
１３…接続端子
１４Ａ，１４Ｂ…環状堰堤
１５…アッパハウジング内面
１６…可動マグネットの平面
１７…堰堤の突設面
【図１】
0003889132.tif 000002
【図２】
0003889132.tif 000003
【図３】
0003889132.tif 000004
【図４】
0003889132.tif 000005
【図５】
0003889132.tif 000006
【図６】
0003889132.tif 000007